(57)【要約】【課題】可動機構を設けることなく、オーバーヘッド型の装着とネックバンド型の装着のいずれも実現することができる音響装置を提供する。【解決手段】音響装置（１００）は、フレーム（１２０）と、前記フレームに固定され、耳あて部（１５０）を有し、音響発生部を収容する筐体（１１０）と、前記フレームに接合されたヘッドバンド（１３０）とを有し、前記フレームと前記筐体の隙間に、使用者の耳を掛けるための空間（Ｒ）が形成される。【選択図】図１(a)
2016015531.tif 000002
【特許請求の範囲】
【請求項１】
フレームと、
前記フレームに固定され、耳あて部を有し、音響発生部を収容する筐体と、
前記フレームに接合されたヘッドバンドと
を有し、
前記フレームと前記筐体の隙間に、使用者の耳を挿入するための空間が形成される
ことを特徴とする音響装置。
【請求項２】
前記空間は前記フレームに空けられた孔である
ことを特徴とする請求項１に記載の音響装置。
【請求項３】
前記ヘッドバンドの長さを調節する機構を更に有する
ことを特徴とする請求項１または２に記載の音響装置。
【請求項４】
前記音響発生部は、マイクと、前記マイクで収音された音声を増幅して放音するスピーカとを含む
ことを特徴とする請求項１ないし３のいずれか一つに記載の音響装置。
【発明の詳細な説明】
【技術分野】
【０００１】
本発明は、使用者の耳に装着される音響装置に関する。
【背景技術】
【０００２】
ヘッドホンのうち、頭部への固定を行うためのバンドを備えたタイプものがある。このタイプのヘッドホンは、装着態様の観点から、オーバーヘッド型とネックバンド型とに分類される。オーバーヘッド型とは、装着時にヘッドバンドが頭の上に乗る構造のものをいう。ネックバンド型とは、装着時にヘッドバンドが後頭部（首の後ろ側）に位置するものをいう。
一般的に、オーバーヘッド型は装着感が良好であるが髪型が乱れやすく、ネックバンド型は髪型が乱れにくいが安定した装着を実現するために装着感が犠牲になるという特徴がある。さらに、それぞれのタイプは装着時に受ける印象がかなり異なるので、ファッション性の観点から、着用する場面に向き不向きがある。よって、外出時、状況に応じてオーバーヘッド型とネックバンド型とを使い分けたいという要望がある。とはいっても、２つのヘッドホンを持ち歩くのは現実的でない。この観点から、オーバーヘッド型の装着とネックバンド型の装着のいずれも実現することができるヘッドホンが開発されている。
【先行技術文献】
【非特許文献】
【０００３】
【非特許文献１】インターネット＜URL：http://tascam.jp/product/sporta_pro/＞
【発明の概要】
【発明が解決しようとする課題】
【０００４】
非特許文献１に係るヘッドホンは、筐体とフレームとを９０度折り曲げることによって、２つの構造が選択的に実現される。しかし、このような可動機構を導入すると、可動部の耐久性やデザイン面が犠牲になるほか、製造コストも高くつく。
本発明は、可動機構を設けることなく、オーバーヘッド型の装着とネックバンド型の装着のいずれも実現することができる音響装置を提供することを目的とする。
【課題を解決するための手段】
【０００５】
本発明は、一の態様において、フレームと、前記フレームに固定され、耳あて部を有し、音響発生部を収容する筐体と、前記フレームに接合されたヘッドバンドとを有し、前記フレームと前記筐体の隙間に、使用者の耳を挿入するための空間が形成されることを特徴とする音響装置。
好ましい態様において、前記空間は前記フレームに空けられた孔である。
好ましい態様において、前記ヘッドバンドの長さを調節する機構を更に有する。
好ましい態様において、前記音響発生部は、マイクと、前記マイクで収音された音声を増幅して放音するスピーカとを含む。
【発明の効果】
【０００６】
本発明の音響装置によれば、可動機構を設けることなく、オーバーヘッド型の装着とネックバンド型の装着のいずれも実現することができる。
【図面の簡単な説明】
【０００７】
【図１（ａ）】ヘッドホン１００の正面図である。
【図１（ｂ）】ヘッドホン１００の背面図である。
【図１（ｃ）】ヘッドホン１００の右側面図である。
【図１（ｄ）】ヘッドホン１００の左側面図である。
【図１（ｅ）】ヘッドホン１００の平面図である。
【図１（ｆ）】ヘッドホン１００の底面図である。
【図２】第１の装着状態を示す図である。
【図３】第２の装着状態を示す図である。
【図４】ヘッドホン１００Ａの右側面図である。
【図５】ヘッドホン１００Ｂの右側面図である。
【発明を実施するための形態】
【０００８】
図１(a)ないし図１(f)は、それぞれヘッドホン１００の正面図、背面図、右側面図、左側面図、平面図、および底面図である。ヘッドホン１００は、筐体１１０、フレーム１２０、ヘッドバンド１３０、長さ調節用アーム１４０、耳当て部１５０、マイク孔１６０からなる。
筐体１１０は、略扁平円柱状で、内部に、電池や電源回路およびスピーカ、マイクロフォン、音響信号処理回路、アンプなどからなる音響波を発生させるための音響発生部（図示省略）を収容する。発生した音響波は、耳当て部１５０を透過してヘッドホン１００の使用者(以下、ユーザという)の耳の内部へ伝搬する。
耳当て部１５０は、略扁平円柱形状で、スポンジやウレタン等の柔らかい音響透過性の高い材料で形成され、筐体１１０と接合され、ユーザがヘッドホン１００を装着した際に耳と接触する。
マイク孔１６０は、外部の音を筐体１１０に収容されたマイクロフォンで収音するために設けられる。
【０００９】
ヘッドホン１００は、一例として、補聴器として機能する。すなわち、音響発生部は、マイクで収音した外部音を増幅してスピーカから放音する。
なお、音響発生部から収音機能を省略してもよい。すなわち、ヘッドホン１００は携帯型の音楽再生装置として機能する。この場合、再生すべき楽曲の楽音信号を外部から音響信号処理回路に供給するための信号線（コード）や端子（いずれも図示は省略）が、筐体１１０に設けられる。あるいは、筐体１１０内に無線通信モジュールを設け、外部から楽音信号の供給を受けてもよい。あるいは、音響発生部から放音機能を省略してもよい。すなわち、ヘッドホン１００をマイク装置として機能させる。あるいは、音響発生部が有する放音機能および収音機能のいずれかまたは両方を有効にするためのスイッチをヘッドホン１００（例えばフレーム１２０の表面）に設け、ユーザがこのスイッチを操作することにより、音響発生部の機能を切り替えてもよい。
要するに、ヘッドホン１００は放音機能および収音機能のうち少なくともいずれかを有する音響装置であって、用途や音響的特性は問わない。
【００１０】
フレーム１２０は、プラスチックや金属で形成され、筐体１１０を包み込むようにフレーム１２０と接合される。フレーム１２０には、側面視で先端がやや尖った略楕円形状あるいはアーモンド形状の隙間が形成されている。筐体１１０がフレーム１２０に接合された状態において覆われ、この空間の一部は筐体１１０に覆われる一方、残り一部の空間（Ｒ）は筐体１１０に覆われていない(すなわち、各々のフレーム１２０の内側と外側とを貫通している；図１(c)、(d)参照）。Ｒの形状は、上述するように第２装着状態において耳のカーブにフィットするような曲線であることが好ましい。
【００１１】
ヘッドバンド１３０は、後述する第１装着状態において頭部にフィットするように、その中央部が幅広略平板状に形成され、両端部に向かって曲げられ、両端部付近では内部が空洞の四角柱状となっている。ヘッドバンド１３０は弾性素材で形成され、装着時されると、弾性力によって左右両側から内側に向かって押さえつける力が作用する。ヘッドバンド１３０は、長さ調節用アーム１４０を介してフレーム１２０と接続される。
【００１２】
長さ調節用アーム１４０は、プラスチックや金属で形成された細長角柱状の部材であり、その表面に所定の間隔で表面に突起部が形成される。長さ調節用アーム１４０の一端はフレーム１２０に固定される。長さ調節用アーム１４０の多端はヘッドバンド１３０の端部の空洞内に摺動可能に差し込まれ、複数の位置でヘッドバンド１３０を固定することができる。すなわち、長さ調節用アーム１４０は、フレーム１２０に対するヘッドバンド１３０の位置（換言するとアームの長さ）を変化させるための伸縮機構である。なお、長さ調節用アーム１４０を省略してヘッドホン１００のサイズを固定してもよい。
【００１３】
図２および３を用いて、ヘッドホン１００の装着方法を説明する。図２は、第１装着状態（オーバーヘッド型）を、図３は第２装着状態（ネックバンド型）を示す。ユーザは、好み、用途、気分、利用環境などに応じて、第１／第２装着状態を自由に決定および変更することができる。
【００１４】
第１装着状態は、ユーザが、頭の形状やサイズに合わせて長さ調節用アーム１４０の長さを調節したのち、耳当て部１５０が耳の中心付近に位置しかつヘッドバンド１３０が頭頂部付近で接触するようにヘッドホン１００を装着することにより、実現される。このとき、ヘッドホン１００は、２つの耳当て部１５０が耳へ付勢され、かつヘッドバンド１３０が頭頂部で支持されることにより、ユーザに固定される。このとき、空間Ｒには耳が挿入されない。
なお、耳当て部１５０の付勢力が十分に強ければ、ヘッドバンド１３０が頭部と接触していなくてもよい。要するに、ヘッドバンド１３０がどのように頭部と接触するか（あるいはまったくしないのか）については、長さ調節用アーム１４０の調整限度において、ユーザが自由に決定できる。
【００１５】
一方、第２装着状態は、空間Ｒ内に耳の上側の一部（９０１）が挿入された状態である。すなわち、耳がフレーム１２０と筐体１１０の間に引っ掛けられた状態である。このとき、２つの耳当て部１５０における耳への付勢力と、フレーム１２０が耳の上部（９０１）で支持されることによって、ヘッドホン１００がユーザに固定される。このとき、同図で示すように、ヘッドバンド１３０の中央部は頭部と接触していない。ただし、ユーザが長さ調節用アーム１４０を調節することで、ヘッドバンド１３０が後頭部（あるいは首の後ろ側）と接触するようにしてもよい。
【００１６】
好ましい態様において、第１装着状態と第２装着状態との間の変更は、ユーザが自分の手でフレーム１２０を持って筐体１１０付近を中心としてヘッドホン１００を回転させることによってスムーズに行われるように、空間Ｒの形状、位置、サイズが決定される。
【００１７】
上記実施例によれば、ユーザはオーバーヘッド型の装着とネックバンド型の装着形態をいつでも自由に変更することができる。上記実施例のヘッドホン１００には、この装着形態を実現するための可動機構を設ける必要がないので、ヘッドホン１００の設計に当たり、デザインの自由度、重量、強度、コンパクト性が制限されることがない。
【００１８】
本発明において、筐体１１０、フレーム１２０、ヘッドバンド１３０、長さ調節用アーム１４０、耳当て部１５０、マイク孔１６０、空間Ｒの形状やサイズは、上述したものに限らない。例えば、ヘッドバンド１３０は、２本の曲げられた棒状部材であってもよいし、棒状部材に頭部と接触する部位であるパッドが設けられてもよい。要するに、第１装着状態および第２装着状態において、ヘッドバンド１３０は、頭部と接触してもしなくてもよい。圧迫感や締め付け感に対するユーザの好みや、使用環境との適合性（例えば、ユーザが運動中であって保持力が要求される状況なのか否かなどの要因）を考慮して、ユーザが必要に応じて長さ調節用アーム１４０を調整すればよい。ただし、空間Ｒの形状およびサイズについては、耳に引掛かかった状態（すなわち、耳の上側の一部が空間Ｒ内に挿入された状態）において、安定していることが好ましい。
【００１９】
耳を挿入するための空間の形状、サイズ、形成方法に関し、上記実施例は本発明の一例にすぎない。図４、５に、他の例を示す。同図に示すヘッドホン１００Ａおよび１００Ｂは、耳を挿入するための空間の形状がヘッドホン１００と異なる。図４の例おいては、左右の筐体１１０にそれぞれ一つのみの空間（貫通孔）Ｒ１がフレーム１２０に形成される。図５の例においては、この耳を挿入して固定するための空間を、フレーム１２０に孔を空けることによって形成するのではなく、外部空間とつながっている側面視切欠き状の空間Ｒ２となっている。いずれの場合であっても、第２装着状態において、耳の上側付け根において、頭部と空間内に挿入された耳の部分との間にフレーム１２０の一部が位置した状態でヘッドホンが固定されていればよい。
【００２０】
要するに、本発明の音響装置は、フレームと、前記フレームに固定され、耳あて部を有し、音響発生部を収容する筐体と、前記フレームに接合されたヘッドバンドとを少なくとも有し、前記フレームと前記筐体の隙間に、ユーザの耳を挿入するための空間が形成される。
好ましい態様において、前記ヘッドバンドの長さを調節する機構をさらに有する。この機構は、前記ユーザの耳が前記空間に挿入されていない状態において、前記ヘッドバンドが前記ユーザの頭部で支持されるように調節可能である。あるいは、この機構は、前記ユーザの耳の一部分が前記空間に挿入されている状態において、前記ヘッドバンドが前記ユーザの頭部と接触しないように調節することができる。
【符号の説明】
【００２１】
１００・・・ヘッドホン
１１０・・・筐体
１２０・・・フレーム
１３０・・・ヘッドバンド
１４０・・・長さ調節用アーム
１５０・・・耳当て部
１６０・・・マイク孔
Ｒ、Ｒ１、Ｒ２・・・空間
【図１（ａ）】
2016015531.tif 000003
【図１（ｂ）】
2016015531.tif 000004
【図１（ｃ）】
2016015531.tif 000005
【図１（ｄ）】
2016015531.tif 000006
【図１（ｅ）】
2016015531.tif 000007
【図１（ｆ）】
2016015531.tif 000008
【図４】
2016015531.tif 000009
【図５】
2016015531.tif 000010
【図２】
2016015531.tif 000011
【図３】
2016015531.tif 000012
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
フレームと、
前記フレームに固定され、耳あて部を有し、音響発生部を収容する筐体と、
前記フレームに接合されたヘッドバンドと、
前記フレームと前記筐体の隙間に使用者の耳を挿入するための、前記フレームに開けられた孔と
を有する音響装置。
【請求項２】
前記音響発生部は、前記筐体に内蔵されたマイクと、前記マイクで収音された音声を増幅して放音するスピーカとを含む
ことを特徴とする請求項１に記載の音響装置。